(57)【要約】【課題】訪問者が訪問してきたときにも適切に見守りを行うことができる通話情報出力システムを提供する。【解決手段】通話情報出力システム２０は、所定の施設に設けられる、インターホン親機５０と他の通話装置との間の第１通話情報を取得する通話情報取得部５２と、通話情報取得部５２が取得した第１通話情報に基づく第２通話情報を所定の情報端末に出力する出力部４１とを備える。【選択図】図１
2019216302.tif 000002
【特許請求の範囲】
【請求項１】
所定の施設に設けられる、インターホン親機と他の通話装置との間の第１通話情報を取得する通話情報取得部と、
前記通話情報取得部が取得した前記第１通話情報に基づく第２通話情報を所定の情報端末に出力する出力部とを備える
通話情報出力システム。
【請求項２】
前記所定の情報端末の宛先に関する情報を受け付ける受付部をさらに備える
請求項１に記載の通話情報出力システム。
【請求項３】
前記第１通話情報は、録音された情報を含む
請求項１または２に記載の通話情報出力システム。
【請求項４】
前記他の通話装置が撮像した第１画像情報を取得する画像情報取得部を、さらに備え、
前記出力部は、前記第２通話情報と、前記第１画像情報に基づく第２画像情報とを前記所定の情報端末に出力する
請求項１〜３のいずれか１項に記載の通話情報出力システム。
【請求項５】
前記第１画像情報は、録画された情報を含む
請求項４に記載の通話情報出力システム。
【請求項６】
前記第１画像情報は、前記インターホン親機と前記他の通話装置との間の通話開始前に、前記他の通話装置が撮像した画像情報を含む
請求項５に記載の通話情報出力システム。
【請求項７】
前記第２通話情報は、前記第１通話情報に基づくテキスト情報を含む
請求項１〜６のいずれか１項に記載の通話情報出力システム。
【請求項８】
前記出力部は、前記第１通話情報および前記テキスト情報の少なくとも一方に所定の情報が含まれているとき、前記所定の情報端末に前記第２通話情報を出力する
請求項７に記載の通話情報出力システム。
【請求項９】
前記他の通話装置から前記インターホン親機の呼出しに関する第１呼出情報を取得する呼出情報取得部をさらに備え、
前記出力部は、前記第１呼出情報に基づく第２呼出情報を前記所定の情報端末に出力する
請求項１〜８のいずれか１項に記載の通話情報出力システム。
【請求項１０】
前記出力部は、前記第２呼出情報を前記第２通話情報より前に前記所定の情報端末に出力する
請求項９に記載の通話情報出力システム。
【請求項１１】
所定の施設に設けられる、インターホン親機と他の通話装置との間の第１通話情報に基づく第２通話情報を取得する通話情報取得部と、
前記通話情報取得部が取得した前記第２通話情報に基づいた第３通話情報を、音および表示の少なくとも一方により出力するインターフェース部とを備える
情報端末。
【請求項１２】
前記他の通話装置から前記インターホン親機の呼出しに関する第１呼出情報に基づく第２呼出情報を取得する呼出情報取得部をさらに備え、
前記インターフェース部は、前記呼出情報取得部が取得した前記第２呼出情報に基づいた第３呼出情報を、音および表示の少なくとも一方により出力する
請求項１１に記載の情報端末。
【請求項１３】
前記インターフェース部は、前記他の通話装置と前記インターホン親機との間の通話に対する保留、停止、代行および割込みの少なくとも１以上を行うための音声案内および表示の少なくとも一方を出力する
請求項１１または１２に記載の情報端末。
【請求項１４】
所定の施設に設けられる、インターホン親機と他の通話装置との間の第１通話情報に基づく第２通話情報を取得する通話情報取得ステップと、
前記通話情報取得ステップで取得した前記第２通話情報に基づいた第３通話情報を、音および表示の少なくとも一方により出力する通話情報出力ステップとを含む
通話情報処理方法。
【請求項１５】
請求項１４に記載の通話情報処理方法をコンピュータに実行させるためのプログラム。
【発明の詳細な説明】
【技術分野】
【０００１】
本発明は、集合住宅等に用いられるインターホンシステムにおける、通話情報出力システム、情報端末、通話情報処理方法、および、プログラムに関する。
【背景技術】
【０００２】
集合住宅に用いられるインターホンシステムにおいて、見守り機能を有するインターホンシステムが知られている。例えば、特許文献１には、集合住宅の集合玄関において、認証装置が帰宅した住戸人（居住者）を認証したときにロビーインターホンのカメラが起動し、当該帰宅した住戸人を撮像し、当該帰宅した住戸人に対応した携帯端末に撮像した画像を含む通知メールを送信することが開示されている。
【先行技術文献】
【特許文献】
【０００３】
【特許文献１】特開２０１２−１８２５４１号公報
【発明の概要】
【発明が解決しようとする課題】
【０００４】
ところで、集合住宅の居住者に対して訪問者が訪問してきたときにも、適切に見守りを行うことが望まれる。
【０００５】
そこで、本発明は、訪問者が訪問してきたときに適切に見守りを行うことができる通話情報出力システム、情報端末、通話情報処理方法、および、プログラムを提供する。
【課題を解決するための手段】
【０００６】
本発明の一態様に係る通話情報出力システムは、所定の施設に設けられる、インターホン親機と他の通話装置との間の第１通話情報を取得する通話情報取得部と、前記通話情報取得部が取得した前記第１通話情報に基づく第２通話情報を所定の情報端末に出力する出力部とを備える。
【０００７】
本発明の一態様に係る情報端末は、所定の施設に設けられる、インターホン親機と他の通話装置との間の第１通話情報に基づく第２通話情報を取得する通話情報取得部と、前記通話情報取得部が取得した前記第２通話情報に基づいた第３通話情報を、音および表示の少なくとも一方により出力するインターフェース部とを備える。
【０００８】
本発明の一態様に係る通話情報処理方法は、所定の施設に設けられる、インターホン親機と他の通話装置との間の第１通話情報に基づく第２通話情報を取得する通話情報取得ステップと、前記通話情報取得ステップで取得した前記第２通話情報に基づいた第３通話情報を、音および表示の少なくとも一方により出力する通話情報出力ステップとを含む。
【０００９】
本発明の一態様に係るプログラムは、上記の通話情報処理方法をコンピュータに実行させるためのプログラムである。
【発明の効果】
【００１０】
本発明によれば、訪問者が訪問してきたときに適切に見守りを行うことができる通話情報出力システム、情報端末、通話情報処理方法、および、プログラムが実現される。
【図面の簡単な説明】
【００１１】
【図１】実施の形態１に係るインターホンシステムの機能構成を示すブロック図である。
【図２】実施の形態１に係るロビーインターホンの正面図である。
【図３】実施の形態１に係るインターホン親機の正面図である。
【図４】実施の形態１に係るインターホンシステムにおける通話開始の動作の一例を示すシーケンス図である。
【図５】実施の形態１に係る情報端末に表示される画像の一例を示す図である。
【図６】実施の形態１に係るインターホン親機の動作の一例を示すフローチャートである。
【図７】実施の形態１に係る所定の情報の一例を示す図である。
【図８】実施の形態１に係る情報端末の動作の一例を示すフローチャートである。
【図９】実施の形態１に係る情報端末に表示される、通話に対する操作のための情報の一例を示す図である。
【図１０】実施の形態２に係るインターホン親機の動作の一例を示すフローチャートである。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
なお、以下の明細書において、画像は、動画像（映像）である例について説明するが、静止画像であってもよい。また、画像は、文字および数字などが含まれていてもよい。動画像は、複数の静止画像によって構成される。
【００１５】
（実施の形態１）
以下、本実施の形態に係るインターホンシステムおよび情報端末について、図１〜図９を参照しながら説明する。
【００１６】
［１．インターホンシステムの構成］
まず、本実施の形態に係るインターホンシステムの構成について、図１〜図３を参照しながら説明する。
【００１７】
図１は、本実施の形態に係るインターホンシステム１０の機能構成を示すブロック図である。
【００１８】
本実施の形態に係るインターホンシステム１０は、集合住宅に設けられるインターホンシステムである。集合住宅は、所定の施設の一例である。図１に示されるように、インターホンシステム１０は、通話情報出力システム２０と、管理室親機７０とを備える。通話情報出力システム２０は、集合住宅に設けられ、ロビーインターホン３０と、制御装置４０と、インターホン親機５０と、インターホン子機６０と、ゲートウェイ装置９０とを備える。
【００１９】
通話情報出力システム２０は、ロビーインターホン３０とインターホン親機５０との間、および、インターホン子機６０とインターホン親機５０との間で行われた通話を含む通話情報を、当該インターホン親機５０に対応する情報端末８０に出力するシステムである。例えば、集合住宅に居住者として親が住んでおり、当該集合住宅とは異なる場所に子供が住んでいる場合において、親を訪問してきた訪問者と親との通話を遠方にいる子供の情報端末８０に出力することで、子供は遠方に住んでいても親を見守ることができる。なお、以下において、情報端末８０に出力される通話情報は、ロビーインターホン３０とインターホン親機５０との間での通話である例について、説明する。また、ロビーインターホン３０、および、インターホン子機６０は、インターホン親機５０と通話する他の通話装置の一例である。なお、訪問者とは、集合住宅の居住者ではない人を意味する。
【００２０】
インターホンシステム１０が備える各種構成要素は、例えば、集合住宅内に設置される。図１では、インターホン親機５０およびインターホン子機６０が１組だけ図示されているが、インターホンシステム１０は、実際には、集合住宅内の住居の数に応じて複数組のインターホン親機５０およびインターホン子機６０を備える。また、ロビーインターホン３０も複数設けられていてもよい。
【００２１】
ロビーインターホン３０は、インターホン玄関装置の一例であり、集合住宅の玄関などの集合住宅の共用スペースに設置される通話装置である。ロビーインターホン３０について、図１および図２を参照しながら説明する。
【００２２】
図２は、本実施の形態に係るロビーインターホン３０の正面図である。ロビーインターホン３０は、操作受付部３１と、撮像部３２と、センサ部３３と、表示部３４と、通話部３５（入音部３５ａおよび出音部３５ｂ）と、制御部３６と、通信部３７と、記憶部３８とを備える。
【００２３】
操作受付部３１は、訪問者の操作を受け付けるユーザインターフェースである。操作受付部３１は、具体的には、集合住宅内の特定の住居の居住者を呼び出すための呼出操作を受け付ける。操作受付部３１は、タッチパネルまたはハードウェアボタン（例えば、テンキー）などによって実現される。
【００２４】
撮像部３２は、訪問者の画像を撮像する。撮像部３２は、例えば、図２に示されるロビーインターホン３０の本体に取り付けられ、ロビーインターホン３０の前方に位置する訪問者の画像を撮像する。撮像部３２は、ロビーインターホン３０の本体と一体に設けられる。撮像部３２は、ＣＭＯＳイメージセンサまたはＣＣＤイメージセンサを備えるカメラによって実現される。
【００２５】
センサ部３３は、訪問者を検知する。センサ部３３は、例えば、図２に示されるロビーインターホン３０の本体に取り付けられ、ロビーインターホン３０の前方に位置する訪問者を検知する。なお、センサ部３３は、ロビーインターホン３０の本体とは別体であってもよい。この場合、センサ部３３は、例えば、集合住宅の玄関の天井に取り付けられ、ロビーインターホン３０の本体の周辺にいる訪問者を検知する。センサ部３３は、赤外線（熱線）または超音波を用いた人感センサなどによって実現される。
【００２６】
表示部３４は、制御部３６の制御に基づいて所定の画像を表示する。表示部３４は、例えば、撮像部３２によって撮像された画像を表示する。表示部３４が撮像部３２によって撮像された画像を表示することで、訪問者は自身が撮像されていることを知ることができる。また、表示部３４は、インターホン親機５０から取得した情報を表示してもよい。表示部３４は、液晶パネルまたは有機ＥＬパネルなどによって実現される。
【００２７】
通話部３５は、インターホン親機５０を介して居住者と通話するための装置である。通話部３５は、訪問者の音声を収音し、収音した音声を表す音声信号（音声情報）を制御部３６へ出力する入音部３５ａ、および、通信部３７を介して取得された音声信号が示す音声を出音する出音部３５ｂとを有する。入音部３５ａは、例えば、マイクロフォンなどにより実現される。また、出音部３５ｂは、例えば、スピーカなどにより実現される。
【００２８】
制御部３６は、ロビーインターホン３０が備える各種構成要素を制御する。制御部３６は、操作受付部３１によって呼出操作が受け付けられた場合に、インターホン親機５０を作動させるための作動指令、撮像部３２によって撮像された画像の画像信号（画像情報）、および、入音部３５ａによって取得された訪問者の音声を示す音声情報を通信部３７に出力させる。作動指令は、例えば、ロビーインターホン３０とインターホン親機５０との通話が開始される前に出力される。画像情報は、例えば、ロビーインターホン３０とインターホン親機５０との通話が開始される前、および、通話中に出力される。音声情報は、例えば、ロビーインターホン３０とインターホン親機５０との通話中に送信される。また、制御部３６は、操作受付部３１によって呼出操作が受け付けられた場合に、情報端末８０に呼出操作を受け付けたことを含む情報を出力するための呼出情報をインターホン親機５０に出力する。呼出情報は、作動指令に含まれていてもよい。
【００２９】
制御部３６は、操作受付部３１が訪問者から操作を受け付けたことをトリガとして、撮像部３２に撮像を開始させてもよいし、センサ部３３が人を検知したことをトリガとして、撮像部３２に撮像を開始させてもよい。制御部３６は、インターホン親機５０から通話開始を示す情報を取得したことをトリガとして、入音部３５ａに収音を開始させてもよいし、操作受付部３１が訪問者から操作を受け付けたことをトリガとして、入音部３５ａに収音を開始させてもよいし、センサ部３３が人を検知したことをトリガとして、入音部３５ａに収音を開始させてもよい。また、制御部３６は、現在の年月日および時刻を計時するリアルタイムクロック機能を有していてもよい。制御部３６は、例えば、マイクロコンピュータまたはプロセッサによって実現される。
【００３０】
制御部３６は、入音部３５ａで収音した音声情報および撮像部３２が撮像した画像情報の少なくとも一方を記憶部３８に記憶してもよい。
【００３１】
通信部３７は、制御部３６の制御に基づいて作動指令、画像情報、および、音声情報を出力する。作動指令、画像信号、および、音声情報は、呼出操作によって特定される住居に設けられたインターホン親機５０あてに出力される。通信部３７は、例えば、通信回路によって実現される。
【００３２】
記憶部３８は、制御部３６が実行する制御プログラムを記憶する記憶装置である。また、記憶部３８は、撮像部３２が撮像した画像情報、および、入音部３５ａが収音した音声情報を記憶してもよい。記憶部３８は、例えば、半導体メモリなどによって実現される。
【００３３】
図１を再び参照して、制御装置４０は、上記のような作動指令、画像情報、音声情報、および、呼出情報（以降において、ロビー情報とも記載する）の中継を制御する。制御装置４０は、ロビーインターホン３０、および、インターホン親機５０と通信可能に接続されている。また、制御装置４０は、集合住宅の管理室に設置される管理室親機７０、および、ゲートウェイ装置９０を介して情報端末８０と接続されている。制御装置４０は、通信部４１と、制御部４２と、記憶部４３とを備える。
【００３４】
通信部４１は、制御部４２の制御に基づいて、ロビーインターホン３０の通信部３７から出力されるロビー情報を取得し、取得されたロビー情報を呼出操作が行われた居室のインターホン親機５０に出力する。なお、通信部３７によって出力されるロビー機情報が通信部４１によって中継されることは必須ではない。例えば、ロビー機情報は、ロビーインターホン３０からインターホン親機５０に直接出力されてもよい。また、通信部４１は、制御部４２の制御に基づいて、インターホン親機５０から出力される通話情報（例えば、後述する第２通話情報）を取得し、取得された通話情報を当該インターホン親機５０に対応付けられた情報端末８０に出力する。また、情報端末８０からインターホン親機５０に出力された情報（例えば、後述する通話許可情報）を取得し、取得された情報を当該情報端末８０に対応付けられたインターホン親機５０に出力する。通信部４１は、例えば、通信回路によって実現される。なお、通信部４１は、情報端末８０に通話情報を出力する出力部の一例である。
【００３５】
制御部４２は、上記のようなロビー機情報、および、通話情報の中継を制御する。制御部４２は、例えば、通信部４１を介して、ロビーインターホン３０とインターホン親機５０との間での通話に基づく通話情報（例えば、第２通話情報）を情報端末８０に出力する制御を行う。制御部４２は、例えば、マイクロコンピュータまたはプロセッサによって実現される。
【００３６】
記憶部４３は、制御部４２が実行する制御プログラムが記憶される記憶装置である。記憶部４３は、例えば、半導体メモリによって実現される。
【００３７】
インターホン親機５０は、集合住宅内の複数の住居に１台ずつ設けられ、ロビーインターホン３０と通話するための通話装置である。また、インターホン親機５０には、撮像部３２によって撮像された画像が表示される。インターホン親機５０について、図１および図３を参照しながら説明する。
【００３８】
図３は、本実施の形態に係るインターホン親機５０の正面図である。インターホン親機５０は、通信部５１と、制御部５２と、表示部５３と、通話部５４（入音部５４ａおよび出音部５４ｂ）と、入力受付部５５と、記憶部５６とを備える。
【００３９】
通信部５１は、制御装置４０からロビー機情報、および、情報端末８０が出力した情報を取得する。通信部５１は、例えば、通信回路によって実現される。
【００４０】
制御部５２は、制御装置４０から取得した各種情報に基づいて各種制御を行う。詳細については後述するが、制御部５２は、ロビーインターホン３０とインターホン親機５０との通話に関する通話情報（第１通話情報）に基づく通話情報（第２通話情報）を情報端末８０に出力する制御を行う。第１通話情報は、ロビーインターホン３０から取得した音声情報と入音部５４ａから取得した音声情報との少なくも一方を含む。また、制御部５２は、通信部５１によって取得された作動指令および画像情報に基づいて、表示部５３に当該画像情報に対応する画像（例えば、映像）を表示させる。また、制御部５２は、通信部５１によって取得された作動指令に基づいて、出音部５４ｂに呼出音を出音させる。また、制御部５２は、通信部５１によって取得された音声情報に基づいて、出音部５４ｂに音声を出音させる。なお、制御部５２は、現在の年月日および時刻を計時するリアルタイムクロック機能を有していてもよい。制御部５２は、例えば、マイクロコンピュータまたはプロセッサによって実現される。
【００４１】
表示部５３は、制御部５２の制御に基づいて、撮像部３２によって撮像された画像を表示する。表示部５３は、液晶パネルまたは有機ＥＬパネルなどによって実現される。
【００４２】
通話部５４は、ロビーインターホン３０を介して訪問者と通話するための装置である。通話部５４は、居住者の音声を収音し、収音した音声を表す音声信号（音声情報）を制御部５２へ出力する入音部５４ａ、および、通信部５１を介して取得された音声情報が示す音声を出音する出音部５４ｂとを有する。入音部５４ａは、例えば、マイクロフォンなどにより実現される。また、出音部５４ｂは、例えば、スピーカなどにより実現される。
【００４３】
入力受付部５５は、住居の居住者の操作を受け付けるユーザインターフェースである。入力受付部５５は、居住者から呼出操作を行った訪問者に応答するための操作を受け付ける。また、入力受付部５５は、インターホン親機５０が各種情報（例えば、呼出情報および通話情報）を出力する出力先である所定の情報端末（例えば、情報端末８０）の宛先に関する情報を受け付ける。入力受付部５５を介して予め取得された、所定の情報端末の宛先に関する情報は、制御部５２により記憶部５６に記憶される。制御部５２は、例えば、入力受付部５５を介して宛先に関する情報を取得すると、記憶部５６に記憶されている宛先のリストを更新する。そして、制御部５２は、入力受付部５５により取得した所定の情報端末の宛先に関する情報を用いて、当該所定の情報端末に通話情報などを出力する。入力受付部５５は、タッチパネルまたはハードウェアボタンなどによって実現される。なお、入力受付部５５は、受付部の一例である。
【００４４】
記憶部５６は、制御部５２が実行する制御プログラムが記憶される記憶装置である。記憶部５６には、通信部５１によって取得された画像情報、および、通話情報が記憶されてもよい。記憶部５６は、半導体メモリなどによって実現される。
【００４５】
インターホン子機６０は、住居の玄関に設置される通話装置であり、いわゆるドアホンである。詳細については図示されないが、インターホン子機６０は、訪問者が押す呼出ボタン、インターホン子機６０の前方に位置する訪問者の画像を撮像する撮像部、居住者と通話するための通話部などを備える。インターホン子機６０は、インターホン親機５０と直接接続されている。
【００４６】
管理室親機７０は、制御装置４０と接続されており、選択した住居のインターホン親機５０あるいはロビーインターホン３０と通話することができる通信装置である。詳細については図示されないが、管理室親機７０は、撮像部３２が撮像した画像などを表示する表示部、ロビーインターホン３０を介して訪問者と通話する、および、インターホン親機５０を介して居住者と通話するための通話部、および、管理室にいる管理人からの操作を取得する操作受付部などを備える。
【００４７】
情報端末８０は、通話情報出力システム２０から通話情報を取得する端末装置である。情報端末８０は、例えば住居の居住者の家族（以降において、監視者とも記載する）が所有する携帯端末であり、スマートフォンであってもよいし、タブレットであってもよい。なお、情報端末８０は携帯端末に限られず、持ち運びされない通信装置であってもよい。情報端末８０は、入力受付部８１と、通話部８２と、制御部８３と、表示部８４と、通信部８５と、記憶部８６とを備える。
【００４８】
入力受付部８１は、情報端末８０の所有者の操作を受け付けるユーザインターフェースである。入力受付部８１は、通話情報出力システム２０から取得した通話情報に対する所有者の操作を受け付ける。入力受付部８１は、タッチパネルまたはハードウェアボタンなどによって実現される。
【００４９】
通話部８２は、ロビーインターホン３０を介して訪問者と通話する、および、インターホン親機５０を介して居住者（被監視者）と通話するための装置である。また、通話部８２は、管理室親機７０を介して管理人と通話できてもよい。
【００５０】
通話部８２は、収音した音声を表す音声信号を制御部８３へ出力する入音部（図５に示す入音部８２ａ参照）、および、通信部８５を介して取得された通話情報（例えば、第２通話情報）に基づく音声を出音する出音部（図５に示す出音部８２ｂ参照）を有する。入音部８２ａは、例えば、マイクロフォンなどにより実現される。また、出音部８２ｂは、例えば、スピーカなどにより実現される。出音部８２ｂは、通話情報出力システム２０から取得した各種情報（通話情報および呼出情報など）を音により出力するインターフェース部の一例である。
【００５１】
制御部８３は、情報端末８０が備える各種構成要素を制御する。制御部８３は、通信部８５を介して取得された通話情報に基づく情報（例えば、第３通話情報）を音および表示の少なくとも一方により出力する制御を行う。制御部８３は、例えば、音による出力として、出音部８２ｂに第３通話情報に対応する音声を出音させる。また、制御部８３は、例えば、表示による出力として、表示部８４に第３通話情報に対応する表示をさせてもよい。また、制御部８３は、現在の年月日を計時するリアルタイムクロック機能を有していてもよい。制御部８３は、例えば、マイクロコンピュータまたはプロセッサによって実現される。
【００５２】
表示部８４は、制御部８３の制御に基づいて所定の表示を行う。表示部８４は、例えば、通信部８５を介して取得された通話情報にテキスト情報が含まれている場合、当該テキスト情報を表示してもよい。また、表示部８４は、通信部８５を介して取得された情報に対する操作（例えば、ロビーインターホン３０とインターホン親機５０との通話を許可する操作、および、ロビーインターホン３０とインターホン親機５０との通話を停止する操作など）を選択するための情報を表示してもよい。表示部８４は、液晶パネルまたは有機ＥＬパネルなどによって実現される。表示部８４は、通話情報出力システム２０から取得した各種情報（通話情報および呼出情報など）を表示により出力するインターフェース部の一例である。なお、テキスト情報とは、例えば、通話情報の少なくとも一部をテキスト化した文字列である。
【００５３】
通信部８５は、通話情報出力システム２０と通信するための通信装置である。通信部８５は、例えば、通話情報出力システム２０が出力した通話情報を取得する。通信部８５は、例えば、通信回路によって実現される。
【００５４】
記憶部８６は、制御部８３が実行する制御プログラムが記憶される記憶装置である。記憶部８６には、通信部８５を介して取得された通話情報などが記憶されてもよい。記憶部８６は、半導体メモリなどによって実現される。
【００５５】
ゲートウェイ装置９０は、インターホン親機５０のそれぞれと、情報端末８０などのネットワーク１００（例えばインターネット）上の通信装置との通信を中継する中継装置である。ゲートウェイ装置９０は、全てのインターホン親機５０によって共用される。この中継のための機能として、ゲートウェイ装置９０は、インターホンシステム１０内部における回線と、ネットワーク１００との間のプロトコル変換などを行うことができる。
【００５６】
［２．インターホンシステムの動作］
次に、本実施の形態に係るインターホンシステム１０の動作について、図４〜図９を参照しながら説明する。まずは、ロビーインターホン３０とインターホン親機５０との通話開始の動作について、図４を参照しながら説明する。
【００５７】
図４は、本実施の形態に係るインターホンシステム１０における通話開始の動作の一例を示すシーケンス図である。
【００５８】
図４に示すように、ロビーインターホン３０は、訪問者からの呼出操作を取得する（Ｓ１）と、インターホン親機５０に当該呼出操作に対応する第１呼出情報を出力する（Ｓ２）。具体的には、ロビーインターホン３０の制御部３６は、通信部３７を介してインターホン親機５０に、呼出操作を受け付けたこと示す情報を含む第１呼出情報を出力する。第１呼出情報は、制御装置４０により、呼出操作を受けた住居に設置されたインターホン親機５０に出力される。なお、第１呼出情報には、呼出操作を受け付けた時刻情報などが含まれてもよい。また、ステップＳ２において、第１呼出情報に加えて、作動指令および画像情報が出力されてもよい。
【００５９】
インターホン親機５０は、通信部５１を介して第１呼出情報を取得する（Ｓ３）と、第１呼出情報に基づく第２呼出情報を情報端末８０に出力する（Ｓ４）。具体的には、インターホン親機５０の制御部５２は、第１呼出情報から第２呼出情報を生成し、生成した第２呼出情報を制御装置４０を介して情報端末８０に出力する。制御部５２は、ロビーインターホン３０とインターホン親機５０との通話が開始される前、つまり情報端末８０に通話情報（第２通話情報）を出力するより前に、通信部４１を介して情報端末８０に第２呼出情報を出力する。制御部５２は、通信部５１を介してロビーインターホン３０から第１呼出情報を取得することで、通話情報出力システム２０が備える呼出情報取得部として機能する。
【００６０】
第１呼出情報に基づく第２呼出情報とは、第１呼出情報に所定の処理が加えられた情報であってもよいし、第１呼出情報と同一の情報であってもよい。第２呼出情報は、呼出操作を受け付けたことを示す情報を含んでいればよい。所定の処理とは、第１呼出情報に所定の情報を加える処理であってもよいし、第１呼出情報から所定の情報を削除する処理であってもよい。所定の情報を追加する処理とは、例えば、第１呼出情報に呼出操作を受け付けた時刻情報、および、呼出操作を受け付けた装置に関する情報（以降において、装置情報とも記載する）などを加える処理であってもよい。また、所定の情報を削除する処理とは、第１呼出情報に時刻情報、および、装置情報が含まれていている場合、第１呼出情報から時刻情報、および、装置情報の少なくとも一方を削除する処理であってもよい。呼出操作された装置とは、図１の例では、ロビーインターホン３０またはインターホン子機６０のどちらかである。なお、所定の処理は、例えば、制御部５２により実行される。
【００６１】
また、第２呼出情報は、所定期間（例えば、３０秒など）において呼出操作を受けた回数に関する情報（以降において、回数情報とも記載する）が含まれていてもよい。制御部５２は、第１呼出情報（現在第１呼出情報）を取得したときに、当該現在第１呼出情報を取得した時点から所定期間前の間に第１呼出情報（過去第１呼出情報）を取得した回数を第２呼出情報に含めてもよい。第２呼出情報に含まれる回数は、過去第１呼出情報を取得した回数であってもよいし、過去第１呼出情報を取得した回数に現在第１呼出情報に対応する回数である１回を加算した回数であってもよい。これにより、監視者は、呼出操作が行われた回数を知ることで、呼出操作を受けている居住者の状況を把握しやすくなる。
【００６２】
情報端末８０は、第２呼出情報を取得する（Ｓ５）と、取得した第２呼出情報に基づく第３呼出情報を出力する（Ｓ６）。具体的には、情報端末８０の制御部８３は、第２呼出情報から第３呼出情報を生成し、生成した第３呼出情報を音および表示の少なくとも一方により出力する。制御部８３は、例えば、図５に示すように、第３呼出情報Ｃを表示部８４に出力してもよい。第２呼出情報に基づく第３呼出情報とは、呼出操作を受け付けたことを示す情報を含んでいれば、例えば、第２呼出情報と同一の情報であってもよいし、第２呼出情報に所定の処理が加えられた情報であってもよい。所定の処理とは、第２呼出情報に所定の情報を加える処理であってもよいし、第２呼出情報から所定の情報を削除する処理であってもよい。所定の情報を追加する処理とは、例えば、第２呼出情報に第２呼出情報を取得した時刻情報を加える処理であってもよい。また、所定の情報を削除する処理とは、第２呼出情報に時刻情報、および、装置情報が含まれている場合、第２呼出情報から時刻情報および装置情報の少なくとも一方を削除する処理であってもよい。なお、所定の処理は、例えば、制御部８３により実行される。
【００６３】
図５は、本実施の形態に係る情報端末８０に表示される画像の一例を示す図である。図５に示すように、第３呼出情報Ｃとして、呼出操作を受け付けたことを示す情報と時刻情報とが表示されてもよい。また、第２呼出情報に、回数情報が含まれている場合、制御部８３は、表示部８４に回数情報を表示させてもよいし、回数情報に応じて、呼出操作を受け付けたことを示す情報を表示する態様を変化させてもよい。制御部８３は、例えば、回数情報に含まれる回数が多いほど、情報端末８０の所有者に表示部８４を見ることを促すような表示を行ってもよい。制御部８３は、回数情報に含まれる回数が所定回数以上であると、例えば、表示する情報を点滅させて表示部８４に表示させてもよいし、表示部８４および出音部８２ｂの双方を用いて監視者に報知させてもよい。
【００６４】
また、図５に示すように、第３呼出情報に加え、ロビーインターホン３０とインターホン親機５０との通話の開始を許可するか否かを選択するための情報が表示部８４に表示されてもよい。表示部８４は、例えば、ロビーインターホン３０とインターホン親機５０との通話を「許可する」および「許可しない」の表示を行う。
【００６５】
ここで、監視者により「許可する」が選択されたとする。入力受付部８１が監視者から「許可する」を選択する操作を受け付けると、制御部８３は、インターホン親機５０に通話許可を示す情報（通話許可情報）を出力する（図４のＳ７）。
【００６６】
インターホン親機５０は、通信部５１を介して情報端末８０から通話許可情報を取得する（Ｓ８）。また、インターホン親機５０は、入力受付部５５を介して居住者から通話を開始する通話操作を取得する（Ｓ９）。ステップＳ８における通話許可情報と、ステップＳ９における通話操作とが取得されることで、ロビーインターホン３０とインターホン親機５０との通話が開始される（Ｓ１０）。
【００６７】
なお、表示部８４に表示された「許可しない」が監視者により選択されると、情報端末８０からインターホン親機５０に通話を許可しないことを示す情報が出力される。インターホン親機５０は、通信部５１を介し情報端末８０から通話を許可しないことを示す情報を取得すると、ロビーインターホン３０との通話を開始しない。
【００６８】
なお、通話情報出力システム２０における通話開始の動作は、上記に限定されない。例えば、上記では、情報端末８０から通話許可情報を取得し、かつ入力受付部５５を介して通話操作を取得した後に、ロビーインターホン３０とインターホン親機５０との間で通話が開始される例について説明したが、通話許可情報および通話操作の少なくとも一方を取得したときに、通話が開始されてもよい。制御部５２は、例えば、情報端末８０から通話を許可しない情報を取得しても、入力受付部５５を介して通話操作を取得した場合、ロビーインターホン３０との通話を開始してもよい。また、制御部５２は、情報端末８０から通話を許可しないことを示す情報、および、入力受付部５５から通話を許可しないことを示す情報の少なくとも一方を取得した場合、通話を開始しない制御を行ってもよい。
【００６９】
なお、通話の開始は、インターホン親機５０の操作のみによって行われてもよい。この場合であっても、第２呼出情報が情報端末８０に出力されるとよい。第２呼出情報は、第１呼出情報を取得したときに出力されてもよいし、入力受付部５５を介してロビーインターホン３０との通話を拒否する操作を受け付けたとき（つまり、呼出操作は受け付けたが、通話しなかったとき）に出力されてもよい。
【００７０】
次に、本実施の形態に係るインターホン親機５０の動作を示すフローチャートである。
【００７１】
図６は、本実施の形態に係るインターホン親機５０の動作の一例を示すフローチャートである。図６では、制御部５２は、通話中に第１通話情報に所定の情報が含まれている場合に、第２通話情報を情報端末８０に出力する動作について説明する。
【００７２】
図６に示すように、まずインターホン親機５０は、第１通話情報を取得する（Ｓ１１０）。第１通話情報は、リアルタイムで取得する音声情報であり、ロビーインターホン３０とインターホン親機５０との間で行われている通話を含む情報である。具体的には、制御部５２は、通信部５１を介してロビーインターホン３０から音声情報を取得する。つまり、制御部５２は、通信部５１を介して入音部３５ａで収音された音声情報を取得する。また、制御部５２は、入音部５４ａで収音された音声情報を取得する。通信部５１および入音部５４ａを介して取得した音声情報は、第１通話情報の一例である。制御部５２は、ロビーインターホン３０とインターホン親機５０との間の第１通話情報を取得することで、通話情報出力システム２０が備える通話情報取得部として機能する。なお、制御部５２は、取得した第１通話情報を記憶部５６に記憶してもよい。また、ステップＳ１１０の時点では、通話情報は、情報端末８０に出力されていない。
【００７３】
そして、制御部５２は、取得した第１通話情報に所定の情報が含まれるか否かを判定する（Ｓ１２０）。制御部５２は、順次取得する第１通話情報に対して、ステップＳ１２０の判定を行う。具体的には、制御部５２は、第１通話情報を解析し、予め記憶部５６に記憶されている所定の情報が含まれているか否かを判定する。なお、ステップＳ１２０では、第１通話情報から判定が行われることに限定されず、第１通話情報およびテキスト情報の少なくとも一方に、所定の情報が含まれているか否かの判定が行われればよい。なお、テキスト情報は、第１通話情報に基づいて制御部５２により作成される。
【００７４】
図７は、本実施の形態に係る所定の情報の一例を示す図である。
【００７５】
図７に示すように、所定の情報とは、例えば、所定のキーワードである。所定のキーワードは、予め設定される。所定のキーワードは、例えば、入力受付部５５を介して入力され、記憶部５６に記憶されている。
【００７６】
図６を再び参照して、制御部５２は、第１通話情報に所定の情報が含まれると判定した場合（Ｓ１２０でＹｅｓ）、第１通話情報に基づく第２通話情報を情報端末８０に出力する（Ｓ１３０）。つまり、制御部５２は、通信部４１を介して第２通話情報の出力を開始する。言い換えると、通信部４１は、第１通話情報およびテキスト情報の少なくとも一方に所定の情報が含まれているとき、情報端末８０に第２通話情報を出力する。このとき、制御部５２は、ステップＳ１２０でＹｅｓと判定した時点以降において取得した第１通話情報に基づく第２通話情報を情報端末８０に出力してもよいし、さらにステップＳ１２０でＹｅｓと判定する以前に取得した第１通話情報（例えば、記憶部５６に記憶されている第１通話情報）に基づく第２通話情報を合わせて出力してもよい。
【００７７】
第１通話情報に基づく第２通話情報とは、第１通話情報に所定の処理が加えられた情報であってもよいし、第１通話情報と同一の情報であってもよい。所定の処理とは、第１通話情報に所定の情報を加える処理であってもよいし、第１通話情報から所定の情報を削除する処理であってもよい。所定の情報を追加する処理とは、例えば、第１通話情報に通話している装置に関する情報（例えば、ロビーインターホン３０またはインターホン子機６０）などを加える処理であってもよい。また、所定の情報を削除する処理とは、第１通話情報の一部を削除する処理であってもよい。また、所定の処理には、第１通話情報をテキスト化する処理が含まれていてもよい。第２通話情報は、第１通話情報に基づくテキスト情報を含んでいてもよい。第２通話情報は、例えば、第１通話情報に基づくテキスト情報のみであってもよい。第１通話情報に基づくテキスト情報を含む第２通話情報は、第１通話情報に基づく第２通話情報に含まれる。なお、所定の処理は、例えば、制御部５２により実行される。
【００７８】
制御部５２は、例えば、第１通話情報に所定の情報が含まれる場合、所定の情報（例えば、「買いませんか」など）をテキスト情報として含む第２通話情報を情報端末８０に出力してもよい。情報端末８０が、所定の情報をテキスト情報として含む第２通話情報を取得し、当該テキスト情報を表示部８４に表示することで、監視者は、どのキーワードが通話情報に含まれているかを容易に確認することができる。なお、制御部５２は、ステップＳ１２０でＹｅｓと判定すると、それ以降に取得した第１通話情報に基づく第２通話情報の情報端末８０への出力を継続する。
【００７９】
なお、所定の情報は、キーワードに限定されず、少なくともロビーインターホン３０から取得される音声情報に基づいて、第２通話情報の出力の有無を判定できる情報であればよい。所定の情報は、例えば、声紋であってもよい。所定の情報が声紋である場合、制御部５２は、第１通話情報を解析し、予め記憶部５６に記憶されている声紋が含まれているか否かを判定する。所定の情報が声紋であることで、例えば、複数回に渡って訪問してくる訪問者（例えば、セールスマンなど）がいる場合に、情報端末８０に第２通話情報を出力することができる。また、所定の情報は、音声の大きさであってもよい。制御部５２は、第１通話情報における音声の大きさが所定の大きさ以上であれば、ステップＳ１２０でＹｅｓと判定してもよい。これにより、情報端末８０の所有者は、インターホンシステム１０を介して効果的に住居者を見守ることができる。
【００８０】
制御部５２は、例えば、ステップＳ１２０でＹｅｓであった場合、表示部５３に所定の情報が含まれていることを示す情報を表示してもよい。これにより、居住者に注意喚起することができる。また、制御部５２は、所定の情報の種類に応じて、所定の情報に対する動作を変更してもよい。制御部５２は、第１通話情報に「点検にきました」が含まれている場合は、表示部５３に所定の情報が含まれていることを示す情報を表示させ、「振込」が含まれている場合は、第２通話情報の出力を開始させてもよい。なお、制御部５２は、第１通話情報に所定の情報が含まれていないと判定した場合（Ｓ１２０でＮｏ）、第１通話情報に基づく第２通話情報の情報端末８０への出力は開始されない。
【００８１】
また、制御部５２は、ステップＳ１２０でＹｅｓであった場合、通話中に第２通話情報を情報端末８０に出力する例について説明したが、これに限定されない。制御部５２は、例えば、ステップＳ１２０でＹｅｓであった場合、通話終了後に第２通話情報を情報端末８０に出力してもよい。また、制御部５２は、入力受付部５５を介して第２通話情報を情報端末８０に出力するための操作を取得した場合に、第２通話情報の出力を開始してもよい。
【００８２】
制御部５２は、ステップＳ１１０〜Ｓ１３０の処理を、逐次行ってもよいし、通話全体で１回行ってもよいし、所定時間間隔で繰り返し行ってもよい。なお、ステップＳ１２０の処理は、行われてなくてもよい。制御部５２は、例えば、取得した第１通話情報に基づく第２通話情報を情報端末８０に逐次出力してもよい。
【００８３】
また、ロビーインターホン３０とインターホン親機５０との通話全体において、ステップＳ１２０でＮｏの判定が行われると、監視者は、通話を許可する操作を行ったにも関わらず、通話情報を取得しない。そこで、監視者は、インターホン親機５０に対して、通話情報を出力する要求を行ってもよい。
【００８４】
制御部５２は、情報端末８０から通話情報を出力する要求を取得すると、記憶部５６から当該記憶部５６に記憶されている第１通話情報を取得する。あるいは、制御部５２は、ロビーインターホン３０から記憶部３８に記憶されている音声情報を取得し、記憶部５６から当該記憶部５６に記憶されている音声情報を取得してもよい。すなわち、第１通話情報には、録音された情報が含まれていてもよい。そして、制御部５２は、録音された情報を含む第１通話情報を取得すると、当該第１通話情報から第２通話情報を生成し、生成した第２通話情報を情報端末８０に出力してもよい。
【００８５】
次に、情報端末８０の動作について、図８を参照しながら説明する。図８は本実施の形態に係る情報端末８０の動作の一例を示すフローチャートである。なお、図８は、ロビーインターホン３０とインターホン親機５０との通話開始後における情報端末８０の動作について説明する。
【００８６】
図８に示すように、まず情報端末８０は、通話情報出力システム２０から出力された第２通話情報を取得する（Ｓ２１０）。具体的には、制御部８３は、通信部８５を介してインターホン親機５０から出力された第２通話情報を取得する。なお、ステップＳ２１０は、通話情報取得ステップの一例である。また、制御部８３は、通信部８５を介して第２通話情報を取得することで、情報端末８０が備える通話情報取得部として機能する。
【００８７】
制御部８３は、第２通話情報を取得すると、取得した第２通話情報に基づいて第３通話情報を生成する。第２通話情報に基づく第３通話情報とは、第２通話情報に所定の処理が加えられた情報であってもよいし、第２通話情報と同一の情報であってもよい。所定の処理とは、第２通話情報に所定の情報を加える処理であってもよいし、第２通話情報から所定の情報を削除する処理であってもよい。所定の情報を追加する処理とは、例えば、第２通話情報を取得した時刻情報を加える処理であってもよい。また、所定の情報を削除する処理とは、第２通話情報の一部を削除する処理であってもよい。また、所定の処理には、第２通話情報をテキスト化する、および、第２通話情報に含まれるテキスト情報を音声情報に変換する処理が含まれてもよい。制御部８３は、例えば、監視者が第３通話情報の出力形態（音声出力又はテキスト出力）を予め設定していた場合、監視者が設定した出力形態に合うように第３通話情報に所定の処理を加えてもよい。例えば、第２通話情報が音声情報とテキスト情報とを含んでいる場合、音声情報およびテキスト情報の一方を選択する処理であってもよい。また、第２通話情報がテキスト情報のみであった場合、当該テキスト情報を音声情報に変換する処理であってもよい。なお、所定の処理は、例えば、制御部８３により実行される。
【００８８】
次に、情報端末８０は、第２通話情報に基づく第３通話情報を出力する（Ｓ２２０）。具体的には、制御部８３は、出音部８２ｂに第３通話情報を出音させること、および、表示部８４に第３通話情報を表示させることの少なくとも一方を行う。なお、ステップＳ２２０は、通話情報出力ステップの一例である。
【００８９】
次に、制御部８３は、ロビーインターホン３０とインターホン親機５０との間の通話に対する操作のための情報を出力する（Ｓ２３０）。具体的には、制御部８３は、ロビーインターホン３０とインターホン親機５０との間の通話に対する操作を選択するための情報として、当該通話に対する「保留」、「停止」、「代行」および「割込み」の少なくとも１以上を行うための情報（以降では、操作情報とも記載する）を出力する。制御部８３は、例えば、操作情報を音声案内として出力してもよい。具体的には、制御部８３は、操作情報を出音部８２ｂに音声として出力させてもよい。また、制御部８３は、例えば、操作情報を表示として出力してもよい。具体的には、制御部８３は、操作情報を表示部８４に表示させてもよい。図９は、本実施の形態に係る情報端末８０に表示される、通話に対する操作のための情報の一例を示す図である。
【００９０】
図９に示すように、本実施の形態では、表示部８４には、「保留」、「停止」、「代行」、および、「割込み」の４つの情報が表示される。監視者は、第３通話情報からどの操作を行うかを選択する。なお、図９では、ステップＳ２２０において、第３通話情報Ｔとして音声が出音部８２ｂから出音されている例を示している。
【００９１】
入力受付部８１が通話に対する操作を取得する（Ｓ２４０でＹｅｓ）と、制御部８３は選択された通話に対する操作を実行する（Ｓ２５０）。また、入力受付部８１が通話に対する操作を取得していない（Ｓ２４０でＮｏ）と、制御部８３は、ステップＳ２４０に戻り操作を取得するまで待機する。なお、通話に対する操作を取得していない状態のときに新たに取得した第２通話情報に基づく第３通話情報は、出力される。言い換えると、監視者は、ロビーインターホン３０とインターホン親機５０との間の通話中の任意のタイミングで、当該通話に対する操作を行うことができる。
【００９２】
ここで、通話に対する操作について説明する。なお、第２呼出情報に装置情報および回数情報の少なくとも一方が含まれていることで、監視者は、通話に対する操作をより適切に行うことができる。
【００９３】
「保留」は、ロビーインターホン３０とインターホン親機５０との通話を保留するための操作である。「保留」が選択されると、制御部８３は、通話情報出力システム２０に対しロビーインターホン３０とインターホン親機５０との通話を保留するための情報（以降において、保留情報とも記載する）を出力する。通話情報出力システム２０は、保留情報を取得すると、ロビーインターホン３０とインターホン親機５０との通話を一時的に中断する。制御部５２は、例えば、保留情報を取得すると、ロビーインターホン３０に通話を一時的に中断することを示す情報を出力する。これにより、ロビーインターホン３０とインターホン親機５０との通話が中断される。なお、制御部３６は、表示部３４に保留中であることを示す情報を表示させてもよい。
【００９４】
「停止」は、ロビーインターホン３０とインターホン親機５０との通話を強制的に停止（終了）するための操作である。「停止」が選択されると、制御部８３は、通話情報出力システム２０に対しロビーインターホン３０とインターホン親機５０との通話を強制的に停止するための情報（以降において、停止情報とも記載する）を出力する。通話情報出力システム２０は、停止情報を取得すると、ロビーインターホン３０とインターホン親機５０との通話を停止する。制御部５２は、例えば、停止情報を取得すると、ロビーインターホン３０に通話を停止することを示す情報を出力する。これにより、ロビーインターホン３０とインターホン親機５０との通話が停止される。なお、制御部３６は、表示部３４に停止されたことを示す情報を表示させてもよい。これにより、悪意のある訪問者と居住者との通話を強制的に終了させることができる。
【００９５】
「代行」は、ロビーインターホン３０との通話を情報端末８０を介して監視者が代行するための操作である。「代行」が選択されると、制御部８３は、通話情報出力システム２０に対しロビーインターホン３０との通話を情報端末８０が代行するための情報（以降において、代行情報とも記載する）を出力する。通話情報出力システム２０は、代行情報を取得すると、ロビーインターホン３０とインターホン親機５０との通話を停止し、ロビーインターホン３０と情報端末８０との通話を開始する。具体的には、インターホン親機５０は、代行情報を取得すると、少なくとも出音部５４ｂで収音した音声のロビーインターホン３０への出力を停止させる。これにより、ロビーインターホン３０とインターホン親機５０とは、通話できなくなる。そして、情報端末８０の入音部８２ａが取得した音声情報は、通信部８５を介して通話情報出力システム２０に出力される。インターホン親機５０は、通信部５１を介して情報端末８０から出力された音声情報を取得すると、当該音声情報をロビーインターホン３０に出力する。制御部３６は、当該音声情報に対応する音声を出音部３５ｂに出音させる。また、ロビーインターホン３０の入音部３５ａが取得した音声情報は、同様に、インターホン親機５０を介して情報端末８０に出力される。制御部８３は、取得した音声情報を出音部８２ｂに出音させる。これにより、ロビーインターホン３０と情報端末８０との間で通話を行うことができる。つまり、監視者が居住者に代わり、訪問者と通話することができる。これにより、悪意のある訪問者との通話を強制的に監視者が行うことができる。
【００９６】
「割込み」は、ロビーインターホン３０とインターホン親機５０との通話を強制的に情報端末８０が割込むための操作である。「割込み」が選択されると、制御部８３は、通話情報出力システム２０に対しロビーインターホン３０とインターホン親機５０との通話に強制的に割込むための情報（以降において、割込情報とも記載する）を出力する。通話情報出力システム２０は、割込情報を取得すると、ロビーインターホン３０とインターホン親機５０との通話に割込む。制御部５２は、例えば、割込情報を取得すると、ロビーインターホン３０とインターホン親機５０と情報端末８０との通話を開始する。具体的には、制御部５２は、割込情報を取得した後、情報端末８０から音声情報を取得すると、当該音声情報をロビーインターホン３０に出力する。また、制御部５２は、ロビーインターホン３０から音声情報を取得すると、出音部５４ｂに出音させるとともに、第１通話情報を情報端末８０に出力する。これにより、悪意のある訪問者と居住者との通話に、情報端末８０の監視者が加わることができる。
【００９７】
上記では、通話に対する操作として、「保留」、「停止」、「代行」および「割込み」を説明したが、これ以外の操作が含まれていてもよい。また、図８に示すステップＳ２３０〜Ｓ２５０までの処理は、行われなくてもよい。
【００９８】
なお、上記では、第２呼出情報および第２通話情報は、情報端末８０に出力される例について説明したが、第２呼出情報および第２通話情報の出力先は情報端末８０に限定されない。例えば、第２呼出情報および第２通話情報は、通話情報出力システム２０が設置されている施設内の管理室親機７０に出力されてもよいし、当該施設外の警備会社に設置されている通話装置（図示しない）に出力されてもよい。この場合、管理室親機７０および警備会社の通話装置は、所定の情報端末の一例である。また、所定の情報端末は、複数設定されていてもよい。
【００９９】
［３．効果など］
以上説明したように、本実施の形態に係る通話情報出力システム２０は、所定の施設に設けられる、インターホン親機５０とロビーインターホン３０（他の通話装置の一例）との間の第１通話情報を取得する制御部５２（通話情報取得部の一例）と、制御部５２が取得した第１通話情報に基づく第２通話情報を情報端末８０（所定の情報端末の一例）に出力する通信部４１（出力部の一例）とを備える。
【０１００】
これにより、通話情報出力システム２０から第２通話情報を取得した情報端末８０の監視者は、訪問者と居住者（インターホン親機５０を介して訪問者と通話している人）との会話の内容を知ることができる。監視者は、例えば、訪問者の画像が情報端末８０に出力されている場合に比べ、より詳細に居住者が安全な状態であるか否かを知ることができる。よって、訪問者が訪問してきたときにも適切に見守りを行うことができる。
【０１０１】
また、情報端末８０の宛先に関する情報を受け付ける入力受付部５５（受付部の一例）をさらに備える。
【０１０２】
これにより、第２通話情報を出力する出力先を任意に設定、変更することができるので、通話情報出力システム２０の利便性が向上する。
【０１０３】
また、第１通話情報は、録音された情報を含む。
【０１０４】
これにより、通話終了後に第２通話情報を情報端末８０に出力することができる。
【０１０５】
また、第２通話情報は、第１通話情報に基づくテキスト情報を含む。
【０１０６】
これにより、情報端末８０にテキスト情報を表示させることができる。情報端末８０の監視者は、音声及びテキストの両方で会話の状況を把握することができるので、状況を把握しやすくなる。また、第１通話情報からテキスト化した部分の音声情報を第２通話情報に含めない場合、情報端末８０に出力する情報量を削減することができるので、通話情報出力システム２０と情報端末８０との通信速度が低下することを抑制することができる。
【０１０７】
また、通信部４１は、第１通話情報およびテキスト情報の少なくとも一方に所定の情報が含まれているとき、情報端末８０に第２通話情報を出力する。
【０１０８】
これにより、居住者が安全な状況でない可能性がある場合に第２通話情報が出力されるので、情報端末８０の監視者は、効果的に見守りを行うことができる。
【０１０９】
また、ロビーインターホン３０からインターホン親機５０の呼出しに関する第１呼出情報を取得する制御部５２（呼出情報取得部の一例）を有する。また、通信部４１は、第１呼出情報に基づく第２呼出情報を情報端末８０に出力する。
【０１１０】
これにより、情報端末８０の監視者は、訪問者からの呼出はあったが居住者が通話を行わなかった場合であっても、訪問者が来ていたことを知ることができる。監視者は、例えば、第２呼出情報を取得した回数、および、時間帯などから、居住者の状況を把握することができるので、より適切に見守りを行うことができる。
【０１１１】
また、制御部５２は、第２呼出情報を第２通話情報より前に情報端末８０に出力する。
【０１１２】
これにより、情報端末８０の所有者は、ロビーインターホン３０とインターホン親機５０との通話が開始される前に第２呼出情報を取得することができるので、第２通話情報を取得する準備を行うことができる。監視者は、例えば、準備として出音部５４ｂの音量を大きくすることで、第２通話情報の聞き逃しを防ぐことができる。なお、準備は、音量の調整に限定されず、第２通話情報を適切に確認することができる行動であればよい。準備は、例えば所定の場所（静かな場所など）に移動することであってもよい。
【０１１３】
また、以上説明したように、本実施の形態に係る情報端末８０は、所定の施設に設けられる、インターホン親機５０とロビーインターホン３０（他の通話装置の一例）との間の第１通話情報に基づく第２通話情報を取得する制御部８３（通話情報取得部の一例）と、制御部８３が取得した第２通話情報に基づいた第３通話情報を、音および表示の少なくとも一方により出力するインターフェース部とを備える。インターフェース部は、出音部８２ｂおよび表示部８４の少なくとも一方を含む。
【０１１４】
これにより、監視者は、情報端末８０のインターフェース部を介して第３通話情報を確認することで、所定の施設から離れた場所にいても、遠隔から居住者を見守ることができる。また、監視者は、第３通話情報から、訪問者と居住者との会話の内容を知ることができる。監視者は、例えば、訪問者の画像が情報端末８０に出力されている場合に比べ、より詳細に居住者が安全な状態であるか否かを知ることができる。よって、訪問者が訪問してきたときにも適切に見守りを行うことができる。
【０１１５】
また、ロビーインターホン３０からインターホン親機５０の呼出しに関する第１呼出情報に基づく第２呼出情報を取得する制御部８３（呼出情報取得部の一例）をさらに備える。インターフェース部は、制御部８３が取得した第２呼出情報に基づいた第３呼出情報を、音および表示の少なくとも一方により出力する。
【０１１６】
これにより、ロビーインターホン３０とインターホン親機５０との通話が行われかなった場合であっても、監視者は、第３呼出情報により訪問者が来たことを知ることができる。また、監視者は、呼出操作が行われた回数を知ることで、呼出操作を受けている居住者の状況を把握しやすくなる。よって、より適切に見守りを行うことができる。
【０１１７】
また、インターフェース部は、ロビーインターホン３０とインターホン親機５０との間の通話に対する「保留」、「停止」、「代行」および「割込み」の少なくとも１以上を行うための音声案内および表示の少なくとも一方を出力する。
【０１１８】
これにより、監視者は、通話の状況などに応じて、通話に対する操作を行うことができるので、さらに適切に見守りを行うことができる。監視者は、例えば、居住者がしつこくセールスを受けている場合、「停止」を選択することで、強制的に通話を終了させることができる。
【０１１９】
また、以上説明したように、本実施の形態に係る情報端末８０における通話情報処理方法は、所定の施設に設けられる、インターホン親機５０とロビーインターホン３０（他の通話装置の一例）との間の第１通話情報に基づく第２通話情報を取得する通話情報取得ステップ（Ｓ２１０）と、通話情報取得ステップで取得した第２通話情報に基づいた第３通話情報を、音および表示の少なくとも一方により出力する通話情報出力ステップ（Ｓ２２０）とを含む。また、上記の通話情報処理方法をコンピュータに実行させるためのプログラムであってもよい。
【０１２０】
これにより、上記情報端末８０と同様の効果を奏する。
【０１２１】
（実施の形態２）
以下、本実施の形態に係るインターホンシステムについて、図１０を参照しながら説明する。なお、本実施の形態では、実施の形態１との相違点を中心に説明する。本実施の形態に係るインターホンシステムは、実施の形態１に係るインターホンシステム１０と構成は同様であり、説明を省略する。
【０１２２】
本実施の形態では、通話情報出力システム２０から情報端末８０に出力される情報に、通話情報（例えば、第２通話情報）に加え撮像部３２が撮像した画像に基づく画像情報（例えば、第２画像情報）が含まれる点が異なる。
【０１２３】
制御部３６は、例えば、訪問者が部屋番号を押した後に呼出ボタンを押すと撮像部３２の動作を開始させ、訪問者を撮像する。撮像した画像は、インターホン親機５０に出力される。制御部５２は、取得した画像を表示部５３に表示させる。
【０１２４】
撮像部３２は、ロビーインターホン３０とインターホン親機５０とが通話中であるときも、撮像を継続する。通話中に撮像部３２が撮像した画像は、インターホン親機５０に出力される。制御部５２は、通信部５１を介して当該画像情報を取得し、取得した画像情報に対応する画像を表示部５３に表示させるとともに、当該画像情報に基づく画像情報を情報端末８０に出力する。制御部５２がロビーインターホン３０から取得した画像情報は、第１画像情報の一例である。また、制御部５２は、通信部５１を介してロビーインターホン３０から第１画像情報を取得することで、画像情報取得部として機能する。また、制御部５２から情報端末８０に出力される画像情報であって、第１画像情報に基づく画像情報は、第２画像情報の一例である。制御部５２は、第１画像情報を取得すると、第１画像情報に基づく第２画像情報を情報端末８０に出力する。なお、第２画像情報は、第１画像情報と同一の画像情報であってもよいし、第１画像情報に所定の処理（例えば、一部を削除するなど）が加えられた情報であってもよい。第２画像情報は、例えば、第１画像情報に含まれる人物の顔周辺の画像を抽出した画像であってもよい。
【０１２５】
図１０は、本実施の形態に係るインターホン親機５０の動作の一例を示すフローチャートである。図１０は、ロビーインターホン３０とインターホン親機５０とが通話中であるときの、インターホン親機５０の動作を示す。
【０１２６】
図１０に示すように、インターホン親機５０は、ロビーインターホン３０から第１通話情報と第１画像情報を取得する（Ｓ３１０）。具体的には、制御部５２は、通信部５１を介して第１通話情報と第１画像情報とを取得する。なお、第１通話情報と第１画像情報とは、異なるタイミングで取得されてもよい。制御部５２は、取得した第１通話情報および第１画像情報を記憶部５６に記憶してもよい。
【０１２７】
そして、制御部５２は、第１通話情報に基づく第２通話情報、および、第１画像情報に基づく第２画像情報を情報端末８０に出力する（Ｓ３２０）。具体的には、制御部５２は、通信部５１を介して第２通話情報および第２画像情報を情報端末８０に出力する。情報端末８０は取得した第２画像情報に基づく画像を表示部８４に表示させることで、監視者（例えば、居住者の家族）に訪問者の画像を表示させることができる。監視者は、例えば、表示部８４に表示された画像から訪問者の態度などを知ることができるので、ロビーインターホン３０とインターホン親機５０との通話に対する操作（「保留」、「停止」など）を当該訪問者の態度などに応じて行うことができる。なお、第２通話情報と第２画像情報とは、異なるタイミングで出力されてもよい。
【０１２８】
なお、上記では、情報端末８０に出力される第２画像情報は、リアルタイムの画像である例について説明したが、これに限定されない。第２画像情報は、過去に撮像された画像に基づいた画像であってもよい。言い換えると、第２画像情報を生成するために用いられる第１画像情報は、通話中とは異なるタイミングで撮像された画像であってもよく、例えば、録画された情報であってよい。
【０１２９】
制御部３６は、例えば、訪問者が操作受付部３１を介して部屋番号を押した直後に撮像部３２の動作を開始させ、部屋番号を押している訪問者を撮像する。制御部３６は、例えば、訪問者が部屋番号を入力し始めた直後から所定期間（訪問者が部屋番号を押している途中を撮像することができる期間であればよく、例えば、２秒）撮像する。あるいは、制御部３６は、センサ部３３が訪問者を検知した時点から撮像部３２の動作を開始させてもよい。制御部３６は、例えば、センサ部３３が訪問者を検知してから所定期間（訪問者が部屋番号を押している途中を撮像することができる時間であればよく、センサ部３３の検知範囲などから決定される期間）撮像してもよい。
【０１３０】
制御部３６は、撮像部３２が撮像した画像を記憶部３８に記憶する。制御部３６は、例えば、取得した画像を第２画像情報を生成するための第１画像情報として記憶部３８に記憶する。そして、例えば、ロビーインターホン３０とインターホン親機５０との通話が開始されると、制御部３６は記録された第１画像情報をインターホン親機５０に出力する。そして、制御部５２は、通信部５１を介して録画されていた第１画像情報を取得し、取得した第１画像情報に基づく第２画像情報を情報端末８０に出力してもよい。
【０１３１】
上記のように、第２画像情報を生成するために用いられる第１画像情報は、ロビーインターホン３０とインターホン親機５０との通話が開始される前に撮像部３２が撮像した画像であってもよい。また、第２画像情報は、ロビーインターホン３０とインターホン親機５０との通話が終了した後に、情報端末８０に出力されてもよい。
【０１３２】
以上説明したように、本実施の形態に係る通話情報出力システム２０は、ロビーインターホン３０（他の通話装置の一例）が撮像した第１画像情報を取得する制御部５２（画像情報取得部の一例）を、さらに備える。そして、通信部４１（出力部の一例）は、第２通話情報と、第１画像情報に基づく第２画像情報とを情報端末８０（所定の情報端末の一例）に出力する。
【０１３３】
これにより、情報端末８０は、第２通話情報に加え、第２画像情報を取得する。監視者は、第２通話情報から会話の状況を知ることができる。また、監視者は、第２画像情報から訪問者の様子を知ることができる。よって、監視者は、訪問者の様子を踏まえ居住者の状況を知ることができるので、より適切に見守りを行うことができる。
【０１３４】
また、第１画像情報は、録画された情報を含む。
【０１３５】
これにより、通話終了後に第２画像情報を情報端末８０に出力することができる。
【０１３６】
また、第１画像情報は、インターホン親機５０とロビーインターホン３０との間の通話開始前に、ロビーインターホン３０が撮像した画像情報を含む。
【０１３７】
これにより、訪問者が通話中に撮像されないようにしている場合であっても、訪問者が映っている可能性がある第１画像情報に基づいて第２画像情報を情報端末８０に出力することができる。よって、監視者が訪問者の画像を把握しやすくなる。なお、通話開始前とは、例えば、訪問者が操作受付部３１を介して部屋番号などを入力しているときがよい。
【０１３８】
（その他の実施の形態）
以上、実施の形態について説明したが、本発明は、上記実施の形態に限定されるものではない。
【０１３９】
例えば、上記実施の形態では、特定の処理部が実行する処理を別の処理部が実行してもよい。例えば、インターホン親機によって行われる情報処理の一部または全部は、インターホンシステムが備えるインターホン親機以外の装置またはシステム（具体的には、ロビーインターホンまたは制御装置）によって行われてもよい。ロビーインターホンによって行われる情報処理、制御装置によって行われる情報処理についても同様である。
【０１４０】
また、上記実施の形態では、通話情報出力システムは、集合住宅用のシステムであったが、戸建住宅用のシステムであってもよい。この場合、戸建住宅は、所定の施設の一例である。
【０１４１】
また、上記実施の形態における装置間の通信方法については特に限定されるものではない。装置間では、無線通信が行われてもよいし、有線通信が行われてもよい。また、装置間では、無線通信および有線通信が組み合わされてもよい。
【０１４２】
また、上記実施の形態では、ステップＳ１２０の判定、および、第１通話情報のテキスト化は、インターホン親機の制御部が行う例について説明したが、これに限定されない。判定およびテキスト化の処理は、例えば、インターホンシステム外の処理装置によって、行われてもよい。インターホン親機の制御部は、第１通話情報をネットワークを介してインターホンシステム外の処理装置に出力し、当該処理装置の処理結果を取得する。具体的には、ステップＳ１２０における判定結果と、第１通話情報をテキスト化したテキスト情報を取得してもよい。
【０１４３】
また、上記実施の形態では、制御装置およびゲートウェイ装置を経由して、通話情報出力システムと情報端末とが通信する例について説明したが、これに限定されない。通話情報出力システムが備える各種装置のうちの１つが、無線通信機能を有している場合、当該無線通信機能を有する装置から情報端末に呼出情報（例えば、第２呼出情報）および通話情報（例えば、第２通話情報）の少なくとも一方が出力されてもよい。インターホン親機がＷｉ−Ｆｉ（登録商標）等の通信規格による無線通信が可能な無線通信モジュールを備える場合、Ｗｉ−Ｆｉ（登録商標）ルータ等の親機を介して施設外のネットワークに接続されてもよい。
【０１４４】
また、上記実施の形態では、第１通話情報に所定の情報が含まれている場合に、情報端末に第２通話情報が出力される例について説明したが、これに限定されない。インターホン親機の制御部は、第１通話情報に所定の情報が含まれている場合に、ロビーインターホンとインターホン親機との通話を停止する制御を行ってもよい。そして、インターホン親機の制御部は、呼出操作があったこと、および、通話を停止したことを含む情報を情報端末に出力してもよい。
【０１４５】
また、上記実施の形態のシーケンス図で説明された処理の順序は、一例である。複数の処理の順序は変更されてもよいし、複数の処理は並行して実行されてもよい。
【０１４６】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４７】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラムおよび記録媒体の任意な組み合わせで実現されてもよい。
【０１４９】
例えば、本発明は、上記実施の形態の通話情報出力システム又は情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本発明は、このようなプログラムが記録されたコンピュータ読み取り可能な非一時的な記録媒体として実現されてもよい。
【０１５０】
また、上記実施の形態で説明された通話情報出力システムは、単一の装置として実現されてもよいし、複数の装置によって実現されてもよい。通話情報出力システムが複数の装置によって実現される場合、上記実施の形態で説明された通話情報出力システムが備える構成要素は、複数の装置にどのように振り分けられてもよい。
【０１５１】
その他、各実施の形態に対して当業者が思いつく各種変形を施して得られる形態、または、本発明の趣旨を逸脱しない範囲で各実施の形態における構成要素および機能を任意に組み合わせることで実現される形態も本発明に含まれる。
【符号の説明】
【０１５２】
２０    通話情報出力システム
３０    ロビーインターホン（他の通話装置）
４１    通信部（出力部）
５０    インターホン親機
５２    制御部（通話情報取得部、画像情報取得部、呼出情報取得部）
５５、８１    入力受付部（受付部）
６０    インターホン子機（他の通話装置）
８０    情報端末
８２ｂ    出音部（インターフェース部）
８３    制御部（通話情報取得部、呼出情報取得部）
８４    表示部（インターフェース部）
【図１】
2019216302.tif 000003
【図２】
2019216302.tif 000004
【図３】
2019216302.tif 000005
【図４】
2019216302.tif 000006
【図５】
2019216302.tif 000007
【図６】
2019216302.tif 000008
【図７】
2019216302.tif 000009
【図８】
2019216302.tif 000010
【図９】
2019216302.tif 000011
【図１０】
2019216302.tif 000012